(57)【要約】【課題】  露光処理中の感光材料の受け取り時にバンディングを生じさせることなく、感光材料を確実に受け取って下流側に搬送することができる圧着搬送ユニット及び露光処理装置を提供する。【解決手段】  露光処理中の感光材料の一方の面と対向する第一ガイド面を有する第一ガイド体と、感光材料を両面側から圧着して下流側に搬送する搬送ローラ対とを備え、搬送ローラ対は、一方に対して他方が接離可能に構成された圧着搬送ユニットにおいて、一方の搬送ローラ及び第一ガイド体は、相対的に位置変更可能に構成され、圧着状態で該搬送ローラが第一ガイド面から他方の搬送ローラ側に突出し、許容状態で一方の搬送ローラの圧着部分が第一ガイド面から退避するように構成されてなること特徴とする。【選択図】図５
2007140054.tif 000002
【特許請求の範囲】
【請求項１】
上流側から搬送されてくる露光処理中の感光材料の一方の面側に該感光材料を案内する第一ガイド面の形成された第一ガイド体と、該第一ガイド体に案内される感光材料を両面側から圧着して下流側に搬送する搬送ローラ対とを備え、該搬送ローラ対は、感光材料の一方の面側にある一方の搬送ローラに対して他方の搬送ローラが接離可能に構成され、他方の搬送ローラが一方の搬送ローラから離間して感光材料の進入を許容する許容状態と、他方の搬送ローラが一方の搬送ローラに接近して搬送ローラ対間に進入した感光材料を圧着する圧着状態とに切り換え可能に構成された圧着搬送ユニットにおいて、一方の搬送ローラ及び第一ガイド体は、許容状態で一方の搬送ローラが第一ガイド面から退避する一方、圧着状態で一方の搬送ローラが第一ガイド面から他方の搬送ローラ側に突出するよう、相対的に位置変更可能に構成されてなること特徴とする圧着搬送ユニット。
【請求項２】
一方の搬送ローラが所定位置に設けられると共に、第一ガイド体が傾動可能に設けられ、第一ガイド体が傾動することで、一方の搬送ローラが第一ガイド面から退避した状態と第一ガイド面から突出した状態とに切り換わるように構成されてなる請求項１に記載の圧着搬送ユニット。
【請求項３】
上流側から搬送されてくる露光処理中の感光材料の他方の面側に該感光材料を案内する第二ガイド面の形成された第二ガイド体と、第一ガイド体を第二ガイド体に向けて付勢する付勢手段とを更に備え、第二ガイド体は、他方の搬送ローラを軸支すると共に傾動可能に設けられ、第一ガイド体及び第二ガイド体の少なくとも何れか一方は、他方の搬送ローラが一方の搬送ローラに接近するとき、付勢手段による付勢に抗して第一ガイド体を押圧して傾動させる押圧部を備えている請求項２記載の圧着搬送ユニット。
【請求項４】
感光材料を露光する露光ユニットと、露光ユニットで露光中の感光材料を受け取って下流側に搬送する圧着搬送ユニットとを備え、該圧着搬送ユニットは、上流側から搬送されてくる露光処理中の感光材料の一方の面側に該感光材料を案内する第一ガイド面の形成された第一ガイド体と、該第一ガイド体に案内される感光材料を両面側から圧着して下流側に搬送する搬送ローラ対とを備え、該搬送ローラ対は、感光材料の一方の面側にある一方の搬送ローラに対して他方の搬送ローラが接離可能に構成され、他方の搬送ローラが一方の搬送ローラから離間して感光材料の進入を許容する許容状態と、他方の搬送ローラが一方の搬送ローラに接近して搬送ローラ対間に進入した感光材料を圧着する圧着状態とに切り換え可能に構成された露光処理装置において、一方の搬送ローラ及び第一ガイド体は、許容状態で一方の搬送ローラが第一ガイド面から退避する一方、圧着状態で一方の搬送ローラが第一ガイド面から他方の搬送ローラ側に突出するよう、相対的に位置変更可能に構成されてなること特徴とする露光処理装置。
【請求項５】
一方の搬送ローラが所定位置に設けられると共に、第一ガイド体が傾動可能に設けられ、第一ガイド体が傾動することで、一方の搬送ローラが第一ガイド面から退避した状態と第一ガイド面から突出した状態とに切り換わるように構成されてなる請求項４に記載の露光処理装置。
【請求項６】
上流側から搬送されてくる露光処理中の感光材料の他方の面側に該感光材料を案内する第二ガイド面の形成された第二ガイド体と、第一ガイド体を第二ガイド体に向けて付勢する付勢手段とを更に備え、第二ガイド体は、他方の搬送ローラを軸支すると共に傾動可能に設けられ、第一ガイド体及び第二ガイド体の少なくとも何れか一方は、他方の搬送ローラが一方の搬送ローラに接近するとき、付勢手段による付勢に抗して第一ガイド体を押圧して傾動させる押圧部を備えている請求項５記載の露光処理装置。
【発明の詳細な説明】
【技術分野】
【０００１】
本発明は、上流側から搬送されてくる露光処理中の感光材料を受け取って更に下流側に圧着搬送する圧着搬送ユニット、及び、これを備えた露光処理装置に関する。
【背景技術】
【０００２】
従来から、写真プリントを作成すべく、感光材料に対して露光処理を施す露光処理装置が知られている。かかる露光処理装置は、シート状の感光材料を下流側に搬送しつつ、該感光材料の乳剤面を露光する露光ユニットと、該露光ユニット（上流側）から搬送されてくる露光処理中の感光材料を受け取り、該感光材料を更に下流側に圧着搬送する圧着搬送ユニットとを備えている。
【０００３】
前記圧着搬送ユニットは、上流側から搬送されてくる露光処理中の感光材料の一方の面側に該感光材料を案内する第一ガイド面の形成された第一ガイド体と、第一ガイド体に案内される感光材料を両面側から圧着して下流側に搬送する搬送ローラ対とを備えている。該搬送ローラ対は、感光材料の一方の面側にある一方の搬送ローラに対して他方の搬送ローラが接離可能に構成され、他方の搬送ローラが一方の搬送ローラから離間して感光材料の進入を許容する許容状態と、他方の搬送ローラが一方の搬送ローラに接近して搬送ローラ対間に進入した感光材料を圧着する圧着状態とに切り換え可能に構成されている。
【０００４】
これにより、上記構成の圧着搬送ユニットは、上流側での露光処理に悪影響を与える搬送ローラ対間への感光材料の無理な進入を防止した上で、露光処理中の感光材料を受け取って下流側に搬送できるようになっている（例えば、特許文献１）。
【特許文献１】特開２００２−５５４００号公報
【発明の開示】
【発明が解決しようとする課題】
【０００５】
ところで、搬送ローラ対は、一方の搬送ローラに対して他方の搬送ローラが接離することで、感光材料を圧着する圧着状態と、該搬送ローラ対間に感光材料の進入と許容する許容状態とに切り換えできるようになっているため、感光材料の一方の面側にある一方の搬送ローラが第一ガイド面から他方の搬送ローラ側に突出した態様となっている。すなわち、他方の搬送ローラが一方の搬送ローラに接近することで、これらの搬送ローラで感光材料を圧着できるように、一方の搬送ローラの一部が第一ガイド面よりも他方の搬送ローラ側に突出した態様となっている。
【０００６】
そのため、上述の如く、他方の搬送ローラを一方の搬送ローラから離間させて感光材料の進入を許容したとしても、感光材料の先端が第一ガイド面から突出した一方の搬送ローラの一部と干渉してバンディングが生じ、継続して行われている後端側の露光処理に悪影響がでる場合があった。特に、感光材料が水平方向に搬送される場合には、該感光材料の先端側が自重で下方に向けて撓む傾向にあり、また、感光材料がロールから引き出されたものである場合には、該感光材料に巻き癖がついて直線性が失われていることから、感光材料が第一ガイド面上を摺動する傾向にあり、その第一ガイド面から突出した搬送ローラとの干渉が顕著でバンディングの発生率が高くなってしまう。
【０００７】
そこで、本発明は、斯かる実情に鑑み、露光処理中の感光材料の受け取り時にバンディングを生じさせることなく、感光材料を確実に受け取って下流側に搬送することができる圧着搬送ユニット及び露光処理装置を提供することを課題とする。
【課題を解決するための手段】
【０００８】
本発明に係る圧着搬送ユニットは、上流側から搬送されてくる露光処理中の感光材料の一方の面側に該感光材料を案内する第一ガイド面の形成された第一ガイド体と、該第一ガイド体に案内される感光材料を両面側から圧着して下流側に搬送する搬送ローラ対とを備え、該搬送ローラ対は、感光材料の一方の面側にある一方の搬送ローラに対して他方の搬送ローラが接離可能に構成され、他方の搬送ローラが一方の搬送ローラから離間して感光材料の進入を許容する許容状態と、他方の搬送ローラが一方の搬送ローラに接近して搬送ローラ対間に進入した感光材料を圧着する圧着状態とに切り換え可能に構成された圧着搬送ユニットにおいて、一方の搬送ローラ及び第一ガイド体は、許容状態で一方の搬送ローラが第一ガイド面から退避する一方、圧着状態で一方の搬送ローラが第一ガイド面から他方の搬送ローラ側に突出するよう、相対的に位置変更可能に構成されてなること特徴とする。
【０００９】
上記構成の圧着搬送ユニットによれば、一方の搬送ローラ及び第一ガイド体は、許容状態で一方の搬送ローラが第一ガイド面から退避する一方、圧着状態で一方の搬送ローラが第一ガイド面から他方の搬送ローラ側に突出するよう、相対的に位置変更可能に構成されているので、上流側から搬送されてくる露光処理中の感光材料が搬送ローラ対間に進入する際、感光材料の先端が一方の搬送ローラと干渉することがなく、第一ガイド面に案内されて搬送ローラ間に進入することができる。従って、露光処理中の感光材料にバンディングが発生することがなく、感光材料に対して全長に亘って高品位な露光処理を施すことができる。
【００１０】
そして、許容状態から圧着状態に切り換わることで、第一ガイド面から一方の搬送ローラが突出した状態となるので、他方の搬送ローラが一方の搬送ローラに接近すれば、第一ガイド体が邪魔することなく感光材料を搬送ローラ対で圧着することができ、搬送ローラを回転駆動することで当該感光材料を下流側に搬送することができる。
【００１１】
本発明に係る圧着搬送ユニットの一態様として、一方の搬送ローラが所定位置に設けられると共に、第一ガイド体が傾動可能に設けられ、第一ガイド体が傾動することで、一方の搬送ローラが第一ガイド面から退避した状態と第一ガイド面から突出した状態とに切り換わるように構成されることが好ましい。このようにすれば、一方の搬送ローラ及び第一ガイド体のそれぞれを位置変更させるための機構を必要とせず、第一ガイド体を傾動させるだけで、バンディングの発生を防止することができる。
【００１２】
この場合において、上流側から搬送されてくる露光処理中の感光材料の他方の面側に該感光材料を案内する第二ガイド面の形成された第二ガイド体と、第一ガイド体を第二ガイド体に向けて付勢する付勢手段とを更に備え、第二ガイド体は、他方の搬送ローラを軸支すると共に傾動可能に設けられ、第一ガイド体及び第二ガイド体の少なくとも何れか一方は、他方の搬送ローラが一方の搬送ローラに接近するとき、付勢手段による付勢に抗して第一ガイド体を押圧して傾動させる押圧部を備えていることが好ましい。
【００１３】
このようにすれば、他方の搬送ローラが第二ガイド体に軸支されているので、第二ガイド体を第一ガイド体に接近するように傾動させると、他方の搬送ローラが一方の搬送ローラに接近して圧着状態になる。そして、第二ガイド体の傾動に伴って、付勢手段の付勢力の作用している第一ガイド体が押圧部を介して押され、該第二ガイド体の傾動に連動して第一ガイド体が傾動する。そうすると、第一ガイド体の第一ガイド面から搬送ローラが突出した状態になった上で搬送ローラ対で感光材料が圧着した状態（圧着状態）になる。
【００１４】
その一方で、第二ガイド体を第一ガイド体から離間するように傾動させると、押圧部を介しての第一ガイド体に対する押圧が解除されることになり、付勢手段の付勢力の作用で第一ガイド体が傾動し、所定位置に設けられた一方の搬送ローラが第一ガイド面から退避する。そして、一方の搬送ローラの第一ガイド面からの退避と同じタイミングで、他方の搬送ローラは、第二ガイド体の傾動に対応して一方の搬送ローラから離間し、感光材料の進入を許容した許容状態となる。従って、構造を複雑にしたり、複雑な制御を行うことなく、第二ガイド体の傾動だけで、バンディングの発生を防止して感光材料に対する搬送ローラ対の圧着及びその解除を切り換えることができる。
【００１５】
本発明に係る露光処理装置は、感光材料を露光する露光ユニットと、露光ユニットで露光中の感光材料を受け取って下流側に搬送する圧着搬送ユニットとを備え、該圧着搬送ユニットは、上流側から搬送されてくる露光処理中の感光材料の一方の面側に該感光材料を案内する第一ガイド面の形成された第一ガイド体と、該第一ガイド体に案内される感光材料を両面側から圧着して下流側に搬送する搬送ローラ対とを備え、該搬送ローラ対は、感光材料の一方の面側にある一方の搬送ローラに対して他方の搬送ローラが接離可能に構成され、他方の搬送ローラが一方の搬送ローラから離間して感光材料の進入を許容する許容状態と、他方の搬送ローラが一方の搬送ローラに接近して搬送ローラ対間に進入した感光材料を圧着する圧着状態とに切り換え可能に構成された露光処理装置において、一方の搬送ローラ及び第一ガイド体は、許容状態で一方の搬送ローラが第一ガイド面から退避する一方、圧着状態で一方の搬送ローラが第一ガイド面から他方の搬送ローラ側に突出するよう、相対的に位置変更可能に構成されてなること特徴とする。
【００１６】
上記構成の露光処理装置（の圧着搬送ユニット）によれば、一方の搬送ローラ及び第一ガイド体は、許容状態で一方の搬送ローラが第一ガイド面から退避する一方、圧着状態で一方の搬送ローラが第一ガイド面から他方の搬送ローラ側に突出するよう、相対的に位置変更可能に構成されているので、上流側から搬送されてくる露光処理中の感光材料が搬送ローラ対間に進入する際、感光材料の先端が一方の搬送ローラと干渉することがなく、第一ガイド面に案内されて搬送ローラ間に進入することができる。従って、露光処理中の感光材料にバンディングが発生することがなく、感光材料に対して全長に亘って高品位な露光処理を施すことができる。
【００１７】
そして、許容状態から圧着状態に切り換わることで、第一ガイド面から一方の搬送ローラが突出した状態となるので、他方の搬送ローラが一方の搬送ローラに接近すれば、第一ガイド体が邪魔することなく感光材料を搬送ローラ対で圧着することができ、搬送ローラを回転駆動することで当該感光材料を下流側に搬送することができる。
【００１８】
本発明に係る露光処理装置の一態様として、一方の搬送ローラが所定位置に設けられると共に、第一ガイド体が傾動可能に設けられ、第一ガイド体が傾動することで、一方の搬送ローラが第一ガイド面から退避した状態と第一ガイド面から突出した状態とに切り換わるように構成されることが好ましい。このようにすれば、一方の搬送ローラ及び第一ガイド体のそれぞれを位置変更させるための機構を必要とせず、第一ガイド体を傾動させるだけで、バンディングの発生を防止することができる。
【００１９】
この場合において、上流側から搬送されてくる露光処理中の感光材料の他方の面側に該感光材料を案内する第二ガイド面の形成された第二ガイド体と、第一ガイド体を第二ガイド体に向けて付勢する付勢手段とを更に備え、第二ガイド体は、他方の搬送ローラを軸支すると共に傾動可能に設けられ、第一ガイド体及び第二ガイド体の少なくとも何れか一方は、他方の搬送ローラが一方の搬送ローラに接近するとき、付勢手段による付勢に抗して第一ガイド体を押圧して傾動させる押圧部を備えていることが好ましい。
【００２０】
このようにすれば、他方の搬送ローラが第二ガイド体に軸支されているので、第二ガイド体を第一ガイド体に接近するように傾動させると、他方の搬送ローラが一方の搬送ローラに接近する。そして、第二ガイド体の傾動に伴って、付勢手段の付勢力の作用している第一ガイド体が押圧部を介して押され、該第二ガイド体の傾動に連動して第一ガイド体が傾動する。そうすると、第一ガイド体の第一ガイド面から搬送ローラが突出した状態になった上で搬送ローラ対で感光材料が圧着した状態（圧着状態）にすることができる。
【００２１】
その一方で、第二ガイド体を第一ガイド体から離間するように傾動させると、押圧部を介しての第一ガイド体に対する押圧が解除されることになり、付勢手段の付勢力の作用で第一ガイド体が傾動し、所定位置に設けられた一方の搬送ローラが第一ガイド面から退避する。そして、一方の搬送ローラの第一ガイド面からの退避と同じタイミングで、他方の搬送ローラは、第二ガイド体の傾動に対応して一方の搬送ローラから離間し、感光材料の進入を許容した許容状態となる。従って、構造を複雑にしたり、複雑な制御を行うことなく、第二ガイド体の傾動だけで、バンディングの発生を防止して感光材料に対する搬送ローラ対の圧着及びその解除を切り換えることができる。
【発明の効果】
【００２２】
以上のように、本発明に係る圧着搬送ユニット及び露光処理装置は、露光処理中の感光材料の受け取り時にバンディングを生じさせることなく、感光材料を確実に受け取って下流側に搬送することができるといった優れた効果を奏する。
【発明を実施するための最良の形態】
【００２３】
以下、本発明の一実施形態に係る露光処理装置について、添付図面を参照しつつ説明する。
【００２４】
本実施形態に係る露光処理装置は、図１に示す如く、感光材料に対して露光処理を施し、露光処理された感光材料を現像、乾燥処理して最終的な製品としての写真プリントにまで仕上げる写真処理装置１に組み込まれている。
【００２５】
かかる写真処理装置１について具体的に説明すると、写真処理装置１は、該写真処理装置１の全体の制御を行う制御部１０と、画像データを基に感光材料に露光処理を施す露光処理部（露光処理装置）２０と、露光処理部２０で露光処理された感光材料に対して現像処理を施す現像処理部３０と、現像処理された感光材料を乾燥処理する乾燥処理部４０とを備えている。
【００２６】
該制御部１０は、図２に示す如く、各処理の処理状況や操作案内等を表示するモニター１００と、該モニター１００の表示に基づいて入力操作を行うための入力手段１０１と、露光処理部２０で感光材料Ｐに露光処理を行うための画像データを読み取る読取手段１０２と、露光処理を行うに際し、各種処理や写真処理装置１の実質的な制御を行う演算処理装置１０３とを備えている。
【００２７】
前記モニター１００には、ブラウン管モニター或いは液晶モニターを採用することができ、本実施形態においてはブラウン管モニターが採用されている。前記入力手段１０１には、キーボード１０１ａとマウス１０１ｂとが採用されている。
【００２８】
本実施形態に係る読取手段１０２には、帯状のフィルムＦに形成された複数の駒画像を読み取るフィルムスキャナ１０２ａと、ＣＤ−Ｒ／ＲＷやメモリカード等の各種メディアからデータ（例えば、画像データ）を読み込むメディアドライブ１０２ｂとが採用されている。前記フィルムスキャナ１０２ａは、フィルムＦを長手方向に搬送しつつ、フィルムＦから各駒画像を画像データとして順々に読み取るようになっており、読み取った各画像データを演算処理装置１０３に伝送するようになっている。演算処理装置１０３は、実質的な演算を行うＣＰＵ１０４、該ＣＰＵ１０４に演算を実行させるためのソフトウェア等が記憶されるＲＡＭ１０５やＲＯＭ１０６等から構成されており、Ｉ／Ｏインターフェース（図示せず）を介して前記モニター１００や読取手段１０２（１０２ａ，１０２ｂ）が電気的に接続されている。
【００２９】
前記露光処理部２０は、ロール状にされた長尺な感光材料Ｐを収納するマガジン２００ａと、該マガジン２００ａから引き出された感光材料Ｐを所定の長さで切断する切断装置２０１と、該切断装置２０１により切断された感光材料Ｐを露光処理する露光ユニット２０２と、該露光処理部２０内の各構成間で感光材料Ｐを搬送し、マガジン２００ａから引き出された感光材料Ｐを下流側（前記現像処理部３０）に搬送するための搬送系２０３とを備えている。
【００３０】
前記マガジン２００ａは、ロール状にした感光材料Ｐを軸支可能に構成され、感光材料Ｐを長手方向に円滑に引き出せるようになっている。なお、本実施形態において、マガジン２００ａに収納される感光材料Ｐは、乳剤面を外側にして芯材に対してロール状に巻かれている。
【００３１】
本実施形態に係る写真処理装置１は、露光処理部２０、現像処理部３０、及び乾燥処理部４０を一体的にするための筐体２に対し、オプション（追加）のマガジン２００ｂを収容するための補助筐体３を連結できるようになっている。そして、補助筐体３を筐体２に連結することで、筐体２内に収容したマガジン２００ａから引き出される感光材料Ｐの搬送経路に対し、オプションのマガジン２００ｂから引き出される感光材料Ｐの搬送経路が合流するようになっている。なお、図示しないが、上述の搬送経路の合流部分には、搬送経路を切り換えるための搬送経路切換機構が設けられており、何れか一方のマガジン２００ａ，２００ｂから引き出された感光材料Ｐを下流側に搬送できるようになっている。
【００３２】
前記切断装置２０１は、一対のカッター２０４ａ，２０４ｂを備えており、該一対のカッター２０４ａ，２０４ｂを接離させることで、マガジン２００ａ，２００ｂから引き出されて搬送経路Ｘ上で搬送される感光材料Ｐを所定サイズに切断するようになっている。
【００３３】
前記露光ユニット２０２は、感光材料Ｐを搬送する露光部搬送系２０５と、露光部搬送系２０５で搬送される感光材料Ｐの乳剤面を露光する露光エンジン２０６とを備えている。
【００３４】
前記露光部搬送系２０５は、図３に示す如く、感光材料Ｐに対する露光領域Ａを挟んで上流側及び下流側に配設された二組のローラ対２０７，２０８で構成されており、感光材料Ｐを横方向（略水平方向）に搬送するようになっている。該二組のローラ対２０７，２０８のそれぞれは、一方のローラ（下側のローラ）２０７ａ，２０８ａに対して他方のローラ（上側のローラ）２０７ｂ，２０８ｂが接離可能に設けられており、感光材料Ｐを圧着した状態と圧着を解除した状態とに切り換え可能になっている。
【００３５】
露光部搬送系２０５の下流側のローラ対２０８は、感光材料Ｐが到達するまで圧着を解除した状態で待機し、露光領域Ａを通過した感光材料Ｐの先端が、そのローラ対２０８間に進入した状態で該感光材料Ｐを圧着するようになっている。また、該露光部搬送系２０５の上流側のローラ対２０７は、圧着した感光材料Ｐの後端が該ローラ対２０７の圧着部分を通過する前に圧着を解除するようになっている。このように、二組のローラ対２０７，２０８の圧着とその解除とを切り換えること（いわゆる、踏み替え）で、感光材料Ｐの先端が下流側のローラ対２０８間に進入する際や、感光材料Ｐの後端が上流側のローラ対２０７を通過する際に、感光材料Ｐにバンディングが生じるのを防止し、露光処理に影響を与えることなく感光材料Ｐを下流側に搬送できるようになっている。
【００３６】
本実施形態に係る露光エンジン２０６は、レーザー光源（図示しない）や、該レーザー光源からのレーザー光を前記露光領域Ａにまで導く光学系（例えば、ポリゴンミラーやレンズ：図示しない）等を備えた、いわゆるレーザーエンジンが採用されている。なお、露光エンジン２０６には、ハロゲンランプ等からなる光源と、該光源に光ファイバー束を介して接続された光シャッター（ＰＬＺＴ）とで構成されたものであってもよい。
【００３７】
図２に戻り、前記搬送系２０３は、マガジン２００ａから切断装置２０１まで感光材料Ｐを搬送する第一搬送系２１０と、切断装置２０１で切断された感光材料Ｐを露光ユニット２０２まで搬送する第二搬送系２２０と、露光ユニット２０２で露光処理中の感光材料Ｐを受け取った後に、その感光材料Ｐを下流側の現像処理部３０に搬送する第三搬送系２３０とで構成されている。
【００３８】
第一搬送系２１０は、複数のローラ対２１１…が感光材料Ｐの搬送経路Ｘに沿って配設されて構成され、各ローラ対２１１…の一方のローラ２１１ａを駆動することによって、感光材料Ｐを下流側（第二搬送系２２０）に向けて搬送するようになっている。
【００３９】
第二搬送系２２０は、第一搬送系２１０によって送られてくる感光材料Ｐの先端部を把持する第一把持機構２２１と、切断装置２０１の直下流側と露光ユニット２０２の直上流側とに跨るように設けられ、第一把持機構２２１を切断装置２０１と露光ユニット２０２との間で略直線状の軌道（略水平状の軌道）上で案内するガイドレール２２２と、第一把持機構２２１をガイドレール２２２に沿って往復移動させる駆動系（図示しない）とを備えている。かかる第二搬送系２２０は、第一搬送系２１０とは異なり、感光材料Ｐの先端部を第一把持機構２２１に把持させた状態で、該第一把持機構２２１を下流側に移動させることで、感光材料Ｐを搬送するようになっている。
【００４０】
前記第三搬送系２３０は、該露光処理部２０と下流側の現像処理部３０との間で感光材料Ｐを受け渡す役目を担うもので、図３及び図４に示す如く、上流側の露光領域Ａで露光処理中の感光材料Ｐを受け取り、該感光材料Ｐの搬送方向を変換して感光材料Ｐの表裏を反転させるリバース機構２４０と、該リバース機構２４０で表裏が反転された感光材料Ｐを受け取って下流側に搬送する搬送機構２５０と、該搬送機構２５０で搬送されてきた感光材料Ｐを受け取って下流側（現像処理部３０）に送り出すための受取ユニット２６０とで構成されている。
【００４１】
前記リバース機構２４０は、上流側から搬送されてきた感光材料Ｐを受け取って下流側に搬送する圧着搬送ユニット２７０と、該圧着搬送ユニット２７０を作動させる駆動系２４２とを備えている。
【００４２】
前記圧着搬送ユニット２７０は、図５及び図６に示す如く、上流側から搬送されてくる露光処理中の感光材料Ｐの一方の面側に該感光材料Ｐを案内する第一ガイド面Ｇａの形成された第一ガイド体２７１と、前記感光材料Ｐの他方の面側に該感光材料Ｐを案内する第二ガイド面Ｇｂが形成された第二ガイド体２７２と、第一ガイド体２７１及び第二ガイド体２７２に案内される感光材料Ｐを両面側から圧着して下流側に搬送する搬送ローラ対２７３と、これらを支持するためのフレーム２４１を備えている。
【００４３】
前記第一ガイド体２７１は、感光材料Ｐの保護の観点からメッキ処理された板材で構成されている。該第一ガイド体２７１には、感光材料Ｐの一方の面側に位置する一方の搬送ローラ２７３ａの外周の一部を第一ガイド面Ｇａから出退させるための第一ローラ用開口２７４が形成されている。そして、第一ガイド体２７１は、上流側から搬送されてくる感光材料Ｐを円滑に受け取るべく、搬送経路Ｘの上流側に位置する一端部が第一ガイド面Ｇａとは反対側に起き上がるように曲げ加工され、感光材料Ｐを第一ガイド面Ｇａと第二ガイド面Ｇｂとの間に導入させるための傾斜面からなる第一導入ガイド面２７５が第一ガイド面Ｇａと連続するように一端部に形成されている。また、該第一ガイド体２７１は、搬送経路Ｘの下流側に位置する他端側についても、第一ガイド面Ｇａとは反対側に起き上がって傾斜するように曲げ加工され、搬送ローラ対２７３による圧着領域を通過した感光材料Ｐ（先端側）が第一ガイド体２７１側に移動できるようになっている。
【００４４】
そして、該第一ガイド体２７１は、他端側の両側端には、第一ガイド面Ｇａとは反対側に延出する一対の突片２７６が設けられており、該突片２７６に挿通した軸Ｓ２を介してフレーム２４１に軸支され、その軸Ｓ２回りで所定の回転範囲で回転（傾動）できるようになっている。そして、該第一ガイド体２７１は、捻りコイルバネ等の第一付勢手段２７７によって、第二ガイド体２７２側に付勢されており、その付勢力が作用した状態で、露光ユニット２０２から搬送されてくる感光材料Ｐの直線状の搬送経路Ｘに第一ガイド面Ｇａが沿った態様となり、一端側が付勢力に抗して押されることで、第一ガイド面Ｇａの一端側が先下がりに傾斜した状態になるように構成されている。
【００４５】
前記第二ガイド体２７２は、第一ガイド体２７１と同様に、感光材料Ｐの保護の観点からメッキ処理された板材で構成されている。該第二ガイド体２７２には、感光材料Ｐの他方の面側に位置する他方の搬送ローラ２７３ｂの外周の一部を第二ガイド面Ｇｂ側に突出させる第二ローラ用開口２７８が形成されている。そして、第二ガイド体２７２は、上流側から搬送されてくる感光材料Ｐを円滑に受け取るべく、搬送経路Ｘの上流側に位置する一端側が第二ガイド面Ｇｂとは反対側に起き上がるように曲げ加工され、感光材料Ｐを第一ガイド面Ｇａと第二ガイド面Ｇｂとの間に導入させるための第二導入ガイド面２７９が第二ガイド面Ｇｂに連続するように形成されている。該第二ガイド体２７２は、第二ガイド面Ｇｂとは反対側の面の両側端部に、アーム部材２８０が取り付けられている。該アーム部材２８０は、他方の搬送ローラ２７３ｂの両端部を軸支可能に構成されると共に、第二ガイド体２７２の他端から外方に延出し、その先端部に取り付けられた軸Ｓ３を介してフレーム２４１に軸支されている。
【００４６】
これにより、第二ガイド体２７２は、アーム部材２８０を介して軸Ｓ３回りで傾動可能となり、また、アーム部材２８０を介して第二ガイド体２７２に取り付けられた他方の搬送ローラ２７３ｂも、第二ガイド体２７２と同様に、アーム部材２８０の軸Ｓ３回りで傾動（回転）するようになっている。さらに、該第二ガイド体２７２は、感光材料Ｐが通過する領域を躱すようにして、第二ガイド面Ｇｂに第一ガイド面Ｇａを押圧するためのブロック状の押圧部２８１が突設されている。該押圧部２８１は、感光材料Ｐを受け取る際に必要とされる第一ガイド面Ｇａと第二ガイド面Ｇｂとの間隔に対応した突出量に設定されている。
【００４７】
そして、第二ガイド体２７２は、圧縮コイルバネ等の第二付勢手段２８２（図４参照）によって、第一ガイド体２７１側に付勢されており、露光ユニット２０２から搬送されてくる感光材料Ｐの直線状の搬送経路Ｘに対して、第二ガイド面Ｇｂが略平行となるようになっている。そして、該圧着搬送ユニット２７０は、カム体（図示しない）が取り付けられた軸体（図示しない）が、搬送ローラ２７３ｂと略並列になるようにフレーム２４１に取り付けられており、該軸体を回転させることで、カム体が第二付勢手段２８２の付勢力に抗して第二ガイド体２７２及び他方の搬送ローラ２７３ｂを、アーム部材２８０の軸Ｓ３周りで傾動させ、他方の搬送ローラ２７３ｂを一方の搬送ローラ２７３ａから離間させると共に、第二ガイド体２７２の一端側を第一ガイド体２７１から離間させるようになっている。
【００４８】
前記搬送ローラ対２７３のうち、一方の搬送ローラ２７３ａは、第一ガイド面Ｇａとは反対面側に回転軸Ｓ１を位置させ、該第一ガイド体２７１の第一ローラ用開口２７４に対応するように固定配置され、当該所定位置で駆動系２４２の駆動を受けて回転するようになっている。そして、該一方の搬送ローラ２７３ａは、第一ガイド体２７１の第一ガイド面Ｇａが感光材料Ｐの搬送経路Ｘに沿った状態で、第一ガイド面Ｇａから退避（第二ガイド体２７２側から第一ガイド体２７１側に退避）した状態となる（図５及び図７（イ）参照）一方で、第一ガイド体２７１（第一ガイド面Ｇａ）が一端側ほど先下がりに傾斜した状態で、第一ローラ用開口２７４を介して第一ガイド面Ｇａから第二ガイド体２７２側に一部が所定量突出する（本実施形態においては第一ガイド面Ｇａから約０．２ｍｍ突出する）ように配置されている（図６及び図７（ロ）参照）。
【００４９】
他方の搬送ローラ２７３ｂは、上述の如く、アーム部材２８０を介して第二ガイド体２７２に取り付けられており、第二ガイド体２７２の傾動に伴って、一方の搬送ローラ２７３ａに対して接離するようになっている。これにより、該搬送ローラ対２７３は、一方の搬送ローラ２７３ａに対して他方の搬送ローラ２７３ｂが接近して感光材料Ｐを圧着する圧着状態と、一方の搬送ローラ２７３ａに対して他方の搬送ローラ２７３ｂが離間し、感光材料Ｐの圧着を解除すると共に後続の感光材料Ｐの進入を許容する許容状態とに切り換わるようになっている。
【００５０】
前記フレーム２４１は、間隔をおいて対向配置された一対の側板部２４３，２４３と、該側板部２４３，２４３同士を連結する連結部２４４と、側板部２４３，２４３同士を連結すると共に、第一ガイド体２７１の傾動範囲を形成する連結規制部２４５とを備えている。
【００５１】
前記一対の側板部２４３，２４３のそれぞれは、板状に形成されており、前記圧着搬送ユニット２７０を介設させる間隔をおいて対向するように設けられ、一端同士が帯板状の連結部２４４を介して連結されている。前記連結規制部２４５は、一対の側板部２４３，２４３の他端側を連結している。該連結規制部２４５は、板材を折曲加工して形成されたもので、第一ガイド面Ｇａが一端側ほど先下がりに傾斜した状態にある第一ガイド体２７１を、第一ガイド面Ｇａとは反対側の面に当接して支持するガイド体支持部２４６と、第一ガイド面Ｇａが搬送経路Ｘに沿った第一ガイド体２７１の他端部が当接し、第一付勢手段２７７の付勢力の作用で第一ガイド体２７１が必要以上に傾斜（回転）するのを規制する規制部２４７とが形成されている。
【００５２】
本実施形態に係る圧着搬送ユニット２７０は、上記構成とすることで、第二ガイド体２７２を傾動させるだけで、第一ガイド体２７１や他方の搬送ローラ２７３ｂを連動して位置変更させることができ、感光材料Ｐを受け取る状態（許容状態）と搬送する状態（圧着状態）とに切り換えることができるようになっている。
【００５３】
すなわち、該圧着搬送ユニット２７０は、第二ガイド体２７２及び他方の搬送ローラ２７３ｂに対してカム体が作用していない状態で、図６及び図７（ロ）に示す如く、第二ガイド体２７２が第二付勢手段２８２の付勢力で傾動して第二ガイド面Ｇｂが搬送経路Ｘに沿った状態となり、第一ガイド体２７１が第二ガイド体２７２の傾動に伴う押圧部２８１を介しての押圧によって傾動して第一ガイド面Ｇａが搬送経路Ｘに対して一端側ほど離間するように傾斜（先下がりに傾斜）状態になって、所定間隔を有して対向する第一ガイド面Ｇａ及び第二ガイド面Ｇｂで感光材料Ｐを両面側で案内できる状態になるように構成されている。また、該圧着搬送ユニット２７０は、第一ガイド体２７１が第一ガイド面Ｇａの一端側ほど先下がりに傾斜することで、第一ガイド面Ｇａから一方の搬送ローラ２７３ａが突出すると共に、第二付勢手段２８２の付勢力（第二ガイド体２７２の傾動）によって、アーム部材２８０を介して第二ガイド体２７２に軸支させた他方の搬送ローラ２７３ｂが、その突出した一方の搬送ローラ２７３ａに接近し、搬送ローラ対２７３で感光材料Ｐを両面側から圧着して搬送する状態（圧着状態）となるようになっている。
【００５４】
その一方で、該圧着搬送ユニット２７０は、第二ガイド体２７２及び他方の搬送ローラ２７３ｂにカム体を作用させると、図５及び図７（イ）に示す如く、第二ガイド体２７２が第一ガイド体２７１から離間する方向に傾動し、他方の搬送ローラ２７３ｂが一方の搬送ローラ２７３ａから離間して圧着を解除した状態となる。そして、第一ガイド体２７１は、押圧部２８１を介しての第二ガイド体２７２の押圧が解除され、第一付勢手段２７７の付勢力によって、第二ガイド体２７２側に傾動して第一ガイド面Ｇａが搬送経路Ｘに沿った状態となり、第一ローラ用開口２７４を介して第一ガイド面Ｇａから第二ガイド体２７２側に突出していた一方の搬送ローラ２７３ａが第一ガイド面Ｇａから退避した状態となる。すなわち、第一ガイド体２７１と一方の搬送ローラ２７３ａの相対的な位置変更で、該搬送ローラ２７３ａが第一ガイド面Ｇａから退避し、上流側から搬送されてくる感光材料Ｐが搬送ローラ対２７３間に進入するのを許容した状態（許容状態）になるようになっている。
【００５５】
本実施形態に係る圧着搬送ユニット２７０は、リバース機構２４０の一構成として採用されているため、図３及び図４に示す如く、前記フレーム２４１が感光材料Ｐの搬送方向と直交する方向に延びる軸Ｓ１回りに回転可能に設けられている。具体的には、該フレーム２４１は、搬送機構２５０の起立した板状のベースフレーム２５１の一方の面に突設された一対の取付ブラケット２５２，２５２間に設けられ、該取付ブラケット２５２，２５２に感光材料Ｐの搬送方向と直交する方向に延びる軸（本実施形態においては、一方の搬送ローラ２７３ａの軸）Ｓ１周りで９０°の範囲で回転可能に設けられている。すなわち、一方の搬送ローラ２７３ａの軸Ｓ１（実際には、軸Ｓ１の両端部）が、該フレーム２４１の回転軸として機能するようになっている。
【００５６】
本実施形態に係るリバース機構２４０は、圧着搬送ユニット２７０（フレーム２４１）を軸Ｓ１周りで回転させることで、上流側（露光ユニット２０２の露光領域Ａ）から横方向に搬送されてくる感光材料Ｐを受け取る第一姿勢と、受け取った感光材料Ｐを横方向と略直交する縦方向（上方）に送り出す第二姿勢とに切り換わるようになっている。すなわち、該リバース機構２４０は、フレーム２４１を軸Ｓ１周りで９０°回転させることで、横方向に搬送されてくる感光材料Ｐをそのままの姿勢で第一ガイド体２７１（第一ガイド面Ｇａ）と第二ガイド体２７２（第二ガイド面Ｇｂ）との間に進入させる第一姿勢と、第一ガイド体２７１と第二ガイド体２７２との間から縦方向に感光材料Ｐを送り出す第二姿勢とに切り換え可能になっている。
【００５７】
本実施形態において、圧着搬送ユニット２７０は、感光材料Ｐの表裏を反転させるリバース機構２４０の一構成として採用されているため、上述の第二姿勢になった状態で、搬送ローラ対２７３が逆転し、第一ガイド体２７１及び第二ガイド体２７２の一端側（搬送機構２５０の後述する第二把持機構２５３）に感光材料Ｐを送り出すようになっている。
【００５８】
前記搬送機構２５０は、第二姿勢になった圧着搬送ユニット２７０から送り出される感光材料Ｐを把持可能に構成されると共に、縦方向（垂直方向）及び横方向（水平方向）に移動可能に構成された第二把持機構２５３を備えている。該搬送機構２５０は、第二把持機構２５３を縦方向に移動させてつつ横方向にも移動させることで、把持した感光材料Ｐを二列に振り分けて、下流側の（受取ユニット２６０）搬送系３００に渡す振り分け搬送と、第二把持機構２５３を縦方向にだけ移動させ、把持した感光材料Ｐを真っ直ぐそのまま下流側の搬送系２０３に渡す単列搬送とを行えるようになっている。受取ユニット２６０は、一方のローラ２６１ａと他方のローラ２６１ｂとが互いに密接したローラ対２６１と、該前段に設けられたガイド手段２６２とで構成されている。
【００５９】
前記ガイド手段２６２は、第二把持機構２５３から送り出される感光材料Ｐの先端を前記ローラ対２６１間に案内する案内体２６２ａと、これに対して接離可能に設けられた接離ローラ２６２ｂとで構成されており、案内体２６２ａにはテーパー面からなる案内面が形成され、接離ローラ２６２ｂは案内面に向けて付勢されている。これにより、第二把持機構２５３から送り出された感光材料Ｐを受け取る際に、案内体２６２ａから接離ローラ２６２ｂが離間して感光材料Ｐが進入し、その後接離ローラ２６２ｂに対する付勢力によって該感光材料Ｐを押圧できるようになっている。
【００６０】
リバース機構２４の駆動系２４２は、電動モータＭ（例えば、パルスモータ）や、カム機構、ベルト機構等が組み合わされた機構系２４８を備えており、電動モータＭの駆動を機構系２４８を介して搬送ローラ対２７３に対する回転駆動や、カム体の回転、フレーム２４１の回転を連動させるようになっている。
【００６１】
前記現像処理部３０は、受取ユニット２６０を介して送り込まれてくる感光材料Ｐを現像するためのもので、図２に示す如く、現像処理液が貯留される現像処理液槽３０１と、該現像処理液槽３０１内の現像処理液に対して感光材料Ｐを浸漬して引き上げる動作を繰り返すように、感光材料Ｐを搬送する搬送系３００とを備えている。前記現像処理液槽３０１は、複数の液槽３０１ａ，３０１ｂ…が横並びに配置されることで構成されている。
【００６２】
各液槽３０１ａ，３０１ｂ…には、感光材料Ｐに対して現像処理、漂白処理、定着処理、安定処理を行うための現像処理液が貯留されている。すなわち、各液槽３０１ａ，３０１ｂ…には、上流側から順に現像液（ＣＤ）、漂白・定着液（ＢＦ）、安定液（ＳＴＢ）、洗浄液が貯留されている。前記搬送系３００は、現像処理液槽３０１（各液槽３０１ａ，３０１ｂ…）の現像処理液（現像液、漂白・定着液、安定液、洗浄液）中で感光材料Ｐを搬送する液中搬送系３００ａと、各液槽３０１ａ，３０１ｂ…から引き上げられた感光材料Ｐを下流側で隣接する液槽３０１ａ，３０１ｂ…内に導きつつ搬送する外部搬送系３００ｂとで構成されており、各搬送系２０３のそれぞれは、複数のローラ対（採番しない）により構成されている。
【００６３】
前記乾燥処理部４０は、現像処理部３０から送られてきた感光材料Ｐに熱風を吹き付け、感光材料Ｐに付着した現像処理液（水分）を乾燥させるようになっている。
【００６４】
本実施形態に係る写真処理装置１は以上の構成からなり、以下に、該写真処理装置１の作動について説明する。
【００６５】
上記構成の写真処理装置１は、図１に示す如く、マガジン２００ａから引き出された感光材料Ｐが切断装置２０１で切断され、所定サイズの枚葉状になった感光材料Ｐが第二搬送系２２０を介して露光ユニット２０２に送り込まれてくる。この際、露光ユニット２０２の上流側のローラ対２０７は圧着が解除された状態で待機しており、感光材料Ｐの先端部がローラ対２０７間に進入すると、圧着状態になって該感光材料Ｐが下流側に搬送される。そして、感光材料Ｐが露光領域Ａに到達すると、予め読み取った画像データを基に露光エンジン２０６が搬送中の感光材料Ｐに対して露光処理を施すことになる。
【００６６】
そして、下流側のローラ対２０８は、露光中の感光材料Ｐが到達するまで圧着を解除した状態で待機しており、感光材料Ｐの先端部がローラ対２０８間に進入した状態で圧着して上流側のローラ対２０７と共に露光処理中の感光材料Ｐを下流側（リバース機構２４０）に向けて搬送する。
【００６７】
この際、図５及び図７（イ）に示す如く、露光ユニット２０２（露光領域Ａ）の下流側にあるリバース機構２４０（圧着搬送ユニット２７０）は、第一姿勢（受取り可能な姿勢）で待機している。すなわち、圧着搬送ユニット２７０は、カム体の作動によって第二ガイド体２７２及び他方の搬送ローラ２７３ｂが第一ガイド体２７１から離間し、且つ第一付勢手段２７７の付勢力で第一ガイド体２７１の第一ガイド面Ｇａが搬送経路Ｘに沿って、一方の搬送ローラ２７３ａが第一ガイド面Ｇａから退避した状態で待機している。
【００６８】
そうすると、露光処理中の感光材料Ｐの先端が、第一ガイド体２７１と第二ガイド体２７２との間に進入することになる。この際、感光材料Ｐは、横方向（略水平方向）に搬送されているため、巻き癖や感光材料Ｐの自重の作用で先端側が垂れ下がるような態様になる場合があるが、一方の搬送ローラ２７３ａが第一ガイド面Ｇａから退避した状態になっているので、一方の搬送ローラ２７３ａと干渉することなく、感光材料Ｐは第一ガイド面Ｇａに案内されつつ下流側に移動することになる。従って、当該感光材料Ｐの後端側が上流側の露光領域Ａで露光中であっても、バンディングが発生することなく搬送されることになる。
【００６９】
そして、搬送ローラ対２７３間に感光材料Ｐの先端部が到達して圧着可能な状態になると、第二ガイド体２７２及び他方の搬送ローラ２７３ｂに対するカム体による押圧作用が解除される。なお、感光材料Ｐの先端部の位置の検出は、センサーによる検出や、搬送速度から換算された感光材料Ｐの移動量を基に行うことができる。
【００７０】
そして、カム体の押圧作用が解除されると、図６及び図７（ロ）に示す如く、第二付勢手段２８２の付勢力によって第二ガイド体２７２及び他方の搬送ローラ２７３ｂが、第一ガイド体２７１及び一方の搬送ローラ２７３ａ側に位置変更（傾動）し、これに伴って、第一ガイド体２７１は、押圧部２８１を介して第一付勢手段２７７の付勢力の作用方向とは反対側に押されることになる。そうすると、第一ガイド体２７１の第一ローラ用開口２７４を介して一方の搬送ローラ２７３ａが第一ガイド面Ｇａから第二ガイド体２７２側に突出した態様になり、この搬送ローラ２７３ａに接近してきた他方の搬送ローラ２７３ｂと共に感光材料Ｐを圧着し、一方の搬送ローラ２７３ａが駆動系２４２からの駆動を受けることにより、露光ユニット２０２の露光部搬送系２０５と同期を取りながら感光材料Ｐを下流側に搬送する。
【００７１】
そして、該感光材料Ｐの後端が露光ユニット２０２の上流側のローラ対２０７を通過するに当たり、該ローラ対２０７の圧着によるバンディングの発生を防止すべく該ローラ対２０７は圧着が解除され、当該感光材料Ｐは、下流側のローラ対２０８と圧着搬送ユニット２７０（搬送ローラ対２７３）とで下流側に搬送されつつ露光処理が続行されることになる。
【００７２】
そして、かかる感光材料Ｐに対する露光処理が終わり、その後端部が露光ユニット２０２のローラ対２０８を通過して圧着搬送ユニット２７０（第一及び第二ガイド体２７２の一端と搬送ローラ対２７３との間）に到達すると、感光材料Ｐの搬送を一旦停止し、フレーム２４１が９０°回転して圧着搬送ユニット２７０（リバース機構２４０）が第二姿勢となる。すなわち、圧着搬送ユニット２７０は、フレーム２４１の回転で、該リバース機構２４０の上方側にある第二把持機構２５３に感光材料Ｐを縦方向に送り出すことができる姿勢（第二姿勢）に姿勢変更される。この際、縦方向に移動可能に構成された第二把持機構２５３は、リバース機構２４０からの感光材料Ｐを受け取り可能な最下で待機している（図４参照）。
【００７３】
そして、搬送ローラ対２７３が、先の回転方向とは反対方向に回転駆動され、圧着状態にある感光材料Ｐが第一ガイド体２７１及び第二ガイド体２７２の一端側に送り出されることになる。このように、感光材料Ｐをスイッチバックさせる（リバース機構２４０を第二姿勢にして送り出す）ことで、当該感光材料Ｐは、下流側の現像処理部３０の搬送系３００（搬送経路）での進行方向に対する表裏が、露光処理部２０の搬送経路Ｘでの進行方向に対して反転した状態になるようにしている。そして、待機状態にある第二把持機構２５３がリバース機構２４０から送り込まれた感光材料Ｐを把持すると、圧着搬送ユニット２７０のカム体の作動で他方の搬送ローラ２７３ｂが一方の搬送ローラ２７３ａから離間して感光材料Ｐに対する圧着が解除される。そして、図４に示す如く、第二把持機構２５３が上昇して感光材料Ｐを振り分け搬送、或いは単列搬送し、該感光材料Ｐが受取ユニット２６０を介して現像処理部３０に送り込まれることになる（図２参照）。
【００７４】
そして、第二姿勢にあるリバース機構２４０は、図５に示す如く、搬送ローラ対２７３の圧着を解除したままフレーム２４１が回転して第一姿勢に姿勢変更され、後続の感光材料Ｐの受け取りを許容した状態で待機する。
【００７５】
その一方で、現像処理部３０においては、現像処理液に対する感光材料Ｐの浸漬と引き上げとを繰り返しつつ下流側に搬送して現像処理が行われることになり、しかる後、乾燥処理部４０で乾燥されて写真プリントとして排出されることになる（図２参照）。
【００７６】
以上のように、本実施形態に係る写真処理装置１（露光処理部２０）は、一方の搬送ローラ２７３ａ及び第一ガイド体２７１が相対的に位置変更可能に構成され、圧着状態で該搬送ローラが第一ガイド面Ｇａから他方の搬送ローラ２７３ｂ側に突出し、許容状態で一方の搬送ローラ２７３ａの圧着部分が第一ガイド面Ｇａから退避するように圧着搬送ユニット２７０が構成されているので、露光処理中の感光材料Ｐが搬送ローラ対２７３間に進入する際、感光材料Ｐの先端が一方の搬送ローラ２７３ａと干渉することがない。従って、露光処理中の感光材料Ｐにバンディングが発生することがなく、高品位な露光処理を実現することができる。
【００７７】
これに対し、許容状態から圧着状態に切り換わることで、第一ガイド面Ｇａから一方の搬送ローラ２７３ａが突出した状態となるので、他方の搬送ローラ２７３ｂが一方の搬送ローラ２７３ａに接近すれば、感光材料Ｐを搬送ローラ対２７３で圧着することができ、感光材料Ｐの搬送も確実に行うことができる。
【００７８】
そして、一方の搬送ローラ２７３ａを所定位置に配置する一方、第一ガイド体２７１を傾動可能に設け、該第一ガイド体２７１が傾動することで、一方の搬送ローラ２７３ａの外周の一部が第一ガイド面Ｇａから退避した状態と第一ガイド面Ｇａから突出した状態とに切り換わるように構成したので、一方のガイド体を傾動させるだけで、バンディングの発生を防止することができる。
【００７９】
さらに、上流側から搬送されてくる露光処理中の感光材料Ｐの他方面側に感光材料Ｐを案内する第二ガイド面Ｇｂの形成された第二ガイド体２７２を設けたので、感光材料Ｐが搬送経路Ｘから外れて搬送されることを確実に防止することができる。
【００８０】
その上、第一ガイド体２７１を第二ガイド体２７２に向けて付勢する第一付勢手段２７７を設け、第二ガイド体２７２を傾動可能にすると共に、それに他方の搬送ローラ２７３ｂを枢着して該搬送ローラ２７３ｂを一方の搬送ローラ２７３ａに対して接離可能に構成し、第二ガイド体２７２に第一付勢手段２７７による付勢に抗して第一ガイド体２７１を押圧する押圧部２８１を設けるようにしたので、第二ガイド体２７２を傾動させるだけで、これに連動して第一ガイド体２７１を傾動させることができる。その上、第一ガイド体２７１の傾動（一方の搬送ローラ２７３ａと第一ガイド体２７１との相対的な位置変更）に加え、搬送ローラ対２７３の圧着とその解除を行うことができると共に、第二ガイド体２７２を第一ガイド体２７１から離間させることができる。従って、簡単な構成でありながら、露光処理中の感光材料Ｐを搬送ローラ対２７３に安定して確実に進入させることができる上に、該感光材料Ｐを確実に搬送することができる。
【００８１】
尚、本発明の露光処理装置は、上記実施形態に限定されるものではなく、本発明の要旨を逸脱しない範囲内において種々変更を加え得ることは勿論である。
【００８２】
上記実施形態において、露光処理部２０（露光処理装置）を写真処理装置１の一構成として組み込んだが、これに限定されるものではなく、例えば、露光処理部２０のみを独立した露光処理装置として構成するようにしてもよい。また、上記実施形態において、圧着搬送ユニット２７０を露光処置部に組み込んだ状態を説明したが、例えば、圧着搬送ユニット２７０を独立したユニットとして構成し、当該ユニットを露光処理装置に対する交換部品としても勿論よい。
【００８３】
上記実施形態において、圧着搬送ユニット２７０を感光材料Ｐの搬送経路Ｘと直交する方向に延びる軸Ｓ１周りで回転可能に構成し、感光材料Ｐの搬送経路Ｘを９０°変換するためのリバース機構２４０として機能させるようにしたが、これに限定されるものではなく、例えば、露光ユニット２０２で露光処理中の感光材料Ｐの搬送経路Ｘが直線状に設定され、その搬送経路Ｘ上で搬送される露光処理中の感光材料Ｐを受け取ってそれをさらに下流側に搬送する搬送系２０３として圧着搬送ユニット２７０を採用するようにしてもよい。すなわち、上記圧着搬送ユニット２７０は、上流側から搬送されてくる露光処理中の感光材料Ｐを受け取って圧着搬送する箇所に採用することができる。
【００８４】
上記実施形態において、第二ガイド体２７２を設けるようにしたが、これに限定されるものではなく、例えば、感光材料Ｐの他方の面側についての案内（規制）が不要な場合には、第二ガイド体２７２を設けずに他方の搬送ローラ２７３ｂを一方の搬送ローラ２７３ａに対して独立して接離させるように構成してもよい。但し、本実施形態のように、圧着搬送ユニット２７０を姿勢変更させるリバース機構２４０に採用する場合には、感光材料Ｐの搬送安定性を考慮して上記実施形態と同様にすることが好ましい。
【００８５】
そして、上記実施形態において、他方の搬送ローラ２７３ｂをアーム部材２８０を介して第二ガイド体２７２に取り付け、これらを一体的に回転（位置変更）させるようにしたが、これに限定されるものではなく、それぞれ独立して移動できるように構成しても勿論よい。この場合、露光ユニット２０２から送られてくる感光材料Ｐの先端部が搬送ローラ対２７３間に進入した状態で、第二ガイド体２７２を単独で移動させて押圧部２８１を介して第一ガイド体２７１を傾動させると共に、該第一ガイド体２７１の傾動で第一ガイド面Ｇａから一部を突出させた一方の搬送ローラ２７３ａを駆動して感光材料Ｐを非圧着状態で搬送し、該感光材料Ｐの後端が露光ユニット２０２から離れたとき（圧着搬送ユニット２７０に乗り移ったとき）に他方の搬送ローラ２７３ｂを一方の搬送ローラ２７３ａに接近させて感光材料Ｐを圧着搬送するようにしてもよい。このようにすれば、搬送ローラ対２７３間に進入した感光材料Ｐは、圧着されることなく回転駆動する一方の搬送ローラ２７３ａとの摩擦のみで下流側に搬送されることになるので、露光ユニット２０２（露光部搬送系２０５）による感光材料Ｐの送り出し（搬送）との均衡がとれないときに、搬送ローラ２７３ａと感光材料Ｐとの間に滑りが生じることになる。これにより、露光ユニット２０２と同期をとるといった制御を行わなくても感光材料Ｐを搬送しつつ適正に露光処理することができる。そして、感光材料Ｐの後端が露光ユニット２０２から離れたとき（圧着搬送ユニット２７０に乗り移ったとき）に他方の搬送ローラ２７３ｂを一方の搬送ローラ２７３ａに接近させて感光材料Ｐを圧着搬送することで、露光処理が完了した感光材料Ｐの搬送を加速させることができ、処理能力を向上させることもできる。
【００８６】
上記実施形態において、第二ガイド体２７２の傾動で第一ガイド体２７１を傾動させるべく、押圧部２８１を第二ガイド体２７２に設けたが、これに限定されるものではなく、例えば、第一ガイド体２７１の第一ガイド面Ｇａに押圧部２８１を設けたり、第一ガイド体２７１及び第二ガイド体２７２の両方に押圧部２８１を設けるようにしてもよい。このように第一ガイド体２７１及び第二ガイド体２７２の両方に押圧部２８１を設ける場合には、両方の押圧部２８１の突出量の合計が、第一ガイド面Ｇａと第二ガイド面Ｇｂとの間隔に対応するように各押圧部２８１の突出量を設定すればよい。
【００８７】
上記実施形態において、第一ガイド面Ｇａが搬送経路Ｘに沿って状態で一方の搬送ローラ２７３ａが該第一ガイド面Ｇａから退避し、第一ガイド面Ｇａが一端側ほど先下がりに傾斜した状態で、第一ローラ用開口を介して第一ガイド面Ｇａから一方の搬送ローラ２７３ａが突出するようにしたが、これに限定されるものではなく、例えば、第一ガイド面Ｇａからの搬送ローラ２７３ａの出退に拘わらず、何れの場合でも第一ガイド面Ｇａが搬送経路Ｘに対して傾斜した状態であってもよい。また、第一ガイド面Ｇａが搬送経路Ｘに沿った状態で、一方の搬送ローラ２７３ａが突出し、該ガイド面Ｇａが傾斜した状態で一方の搬送ローラ２７３ａが退避するように構成してもよい。但し、感光材料Ｐの搬送安定性を考慮すれば、上記実施形態と同様にすることが好ましい。
【００８８】
上記実施形態において、第一ガイド体２７１及び第二ガイド体２７２の傾動は、付勢手段２７７，２８２による付勢とそれに対抗する押圧とによるものに限定されず、例えば、アクチュエータを用いて強制的に傾動させるようにしてもよい。また、上記実施形態において、一方の搬送ローラ２７３ａを第一ガイド面Ｇａに対して出退させるべく、第一ガイド体２７１を傾動させるようにしたが、例えば、第一ガイド体２７１を感光材料Ｐの搬送経路Ｘと直交方向に移動するように構成し、一方の搬送ローラ２７３ａを第一ガイド面Ｇａに対して出退させるようにしてもよい。また、第一ガイド体２７１を固定する一方で、一方の搬送ローラ２７３ａを移動可能に構成して第一ガイド面Ｇａに対する搬送ローラ２７３ａの出退を可能とするようにしてもよいし、第一ガイド体２７１及び一方の搬送ローラ２７３ａの両方を移動可能、すなわち、相対的に位置変更可能に構成し、第一ガイド面Ｇａに対する搬送ローラ２７３ａの出退を可能とするようにしてもよい。この場合においても、上述の如く、露光ユニット２０２から送られてくる感光材料Ｐの先端部が搬送ローラ対２７３間に進入した状態で、第一ガイド体２７１を位置変更させて第一ガイド面Ｇａから一部を突出させた一方の搬送ローラ２７３ａを駆動して非圧着状態で感光材料Ｐを搬送し、該感光材料Ｐの後端が露光ユニット２０２から離れたとき（圧着搬送ユニット２７０に乗り移ったとき）に他方の搬送ローラ２７３ｂを一方の搬送ローラ２７３ａに接近させて感光材料Ｐを圧着搬送するようにしても勿論よい。
【図面の簡単な説明】
【００８９】
【図１】本発明の一実施形態に係る写真処理装置の全体正面図を示す。
【図２】同実施形態に係る写真処理装置の概略構成図を示す。
【図３】同実施形態に係る写真処理装置の露光エンジンの一部及び第三搬送系の概略正面図を示す。
【図４】図３のＩ−Ｉ断面図を示す。
【図５】同実施形態に係る写真処理装置（圧着搬送ユニットを含むリバース機構）の部分拡大図であって、圧着搬送ユニットが感光材料の進入を許容した許容状態を示す。
【図６】同実施形態に係る写真処理装置（圧着搬送ユニットを含むリバース機構）の部分拡大図であって、圧着搬送ユニットが感光材料を圧着搬送する圧着状態を示す。
【図７】同実施形態に係る圧着搬送ユニットの部分断面図であって、（イ）は、図５のＩＩ−ＩＩ断面図を示し、（ロ）は、図６のＩＩＩ−ＩＩＩ断面図を示す。
【符号の説明】
【００９０】
１…写真処理装置、２…筐体、３…補助筐体、１０…制御部、２０…露光処理部、３０…現像処理部、４０…乾燥処理部、１００…モニター、１０１…入力手段、１０１ａ…キーボード、１０１ｂ…マウス、１０２…読取手段、１０２ａ…フィルムスキャナ、１０２ｂ…メディアドライブ、１０３…演算処理装置、１０４…ＣＰＵ、１０５…ＲＡＭ，１０６…ＲＯＭ、２００ａ，２００ｂ…マガジン、２０１…切断装置、２０２…露光ユニット、２０３…搬送系、２０４ａ，２０４ｂ…カッター、２０５…露光部搬送系、２０６…露光エンジン、２０７，２０８…ローラ対、２０７ａ，２０８ａ，２０７ｂ，２０８ｂ…ローラ、２１０…第一搬送系、２１１…ローラ対、２１１ａ…ローラ、２２０…第二搬送系、２２１…第一把持機構、２２２…ガイドレール、２３０…第三搬送系、２４０…リバース機構、２４１…フレーム、２４２…駆動系、２４３…側板部、２４４…連結部、２４５…連結規制部、２４６…ガイド体支持部、２４７…規制部、２４８…機構系、２５０…搬送機構、２５１…ベースフレーム、２５２…取付ブラケット、２５３…第二把持機構、２６０…受取ユニット、２６１…ローラ対、２６１ａ，２６１ｂ…ローラ、２７０…圧着搬送ユニット、２７１…第一ガイド体、２７２…第二ガイド体、２７３…搬送ローラ対、２７３ａ…搬送ローラ、２７３ｂ…搬送ローラ、２７４…第一ローラ用開口、２７５…第一導入ガイド面、２７６…突片、２７７…第一付勢手段、２７８…第二ローラ用開口、２７９…第二導入ガイド面、２８０…アーム部材、２８１…押圧部、２８２…第二付勢手段、３００…搬送系、３００ａ…液中搬送系、３００ｂ…外部搬送系、３０１…現像処理液槽、３０１ａ，３０１ｂ…液槽、Ａ…露光領域、Ｆ…フィルム、Ｇａ…第一ガイド面、Ｇｂ…第二ガイド面、Ｍ…電動モータ、Ｐ…感光材料、Ｘ…搬送経路
【図１】
2007140054.tif 000003
【図２】
2007140054.tif 000004
【図３】
2007140054.tif 000005
【図４】
2007140054.tif 000006
【図５】
2007140054.tif 000007
【図６】
2007140054.tif 000008
【図７】
2007140054.tif 000009